(57)【特許請求の範囲】
【請求項１】
ひもを走行可能に保持する複数のフィンを形成していて前記ひもの走行方向をガイドするガイドプーリーと、
前記ガイドプーリーのフィンに対向して前記ひもが外れない程度の間隔で配置した外れ止め部材と、
を備え、
前記複数のフィンの間に、複数の前記ひもが走行可能に構成されており、一の前記外れ止め部材により前記複数のひもが外れないように構成されており、
前記外れ止め部材は、前記ガイドプーリーのフィンに対向するガイド部と、前記ガイド部を支持していて前記ひもやガイドプーリーを収納する本体ケースに固定する本体部とを備え、
前記外れ止め部材の本体部は前記ひもを通すガイド孔を有しており、前記本体部にはガイド孔の延長上に筒状突部を突出させ、前記本体ケースに形成した開孔内に前記筒状突部を嵌挿させて該筒状突部を通してひもを外部に誘導するようにしたことを特徴とするガイド機構。
【請求項２】
前記ガイドプーリーのフィンはリング状に形成され、
前記ガイド部は、前記フィンの外周面に沿って断面円弧状に形成されている請求項１に記載されたガイド機構。
【請求項３】
前記外れ止め部材を構成する前記ガイド部および前記本体部が一体形成されている請求項１または２に記載されたガイド機構。
【請求項４】
ひもを進退させることで昇降部材を昇降させる巻き取り装置であって、
前記昇降部材にひもを介して連結されていて回転することでひもの巻き取りまたは繰り出しを行って昇降部材を昇降させる巻き取りドラムと、
前記ひもの走行をガイドする請求項１から３のいずれか１項に記載されたガイド機構とを備えたことを特徴とする巻き取り装置。
【発明の詳細な説明】
【技術分野】
【０００１】
本発明は、ひもの走行をガイドするガイド機構とこのガイド機構を備えた巻き取り装置に関する。
【背景技術】
【０００２】
従来、物干し竿等を自動的に昇降させる巻き取り装置として、例えば特許文献１に記載されたものが知られている。この物干し竿の巻き取り装置は、1つのモータにより駆動される２系統の被駆動体を離間して備え、各被駆動体は物干し竿に連結されたロープを巻き取り可能な巻き取りドラムと駆動伝達機構とを備えている。そして両駆動伝達機構は連結ロッドによって連結されていてモータの駆動力を一方から他方に伝達してそれぞれのロープを同期して巻き取りドラムによって巻き取り及び繰り出しを行うようにしている。
【０００３】
また、他の例による物干し竿の巻き取り装置として、１つのモータの駆動力によって巻き取りドラムを回転させてロープの巻き取りと繰り出しを行うと共に、２本のロープを連結して２本のガイドプーリーを介して本体ケースの２つの開孔からそれぞれ吊り下げて物干し竿を支持しているものがある。
【０００４】
この種の物干し竿の巻き取り装置では、例えば図１１に示すように、巻き取り装置１００のケース１０１内で、各ロープ１０２をガイドプーリー１０３の複数のフィン１０４でガイドして走行させ、ガイドプーリー１０３で本体ケース１０１内から小口の開孔１０１ａを通して下方に吊り下げて物干し竿に連結している。
【先行技術文献】
【特許文献】
【０００５】
【特許文献１】特許第５１２２８９７号公報
【発明の概要】
【発明が解決しようとする課題】
【０００６】
しかしながら、このような巻き取り装置では、物干し竿に人がぶつかったりして持ち上がると、ロープ１０２が上方に持ち上がってガイドプーリー１０３のフィン１０４からロープ１０２が外れてしまうおそれがあった。その場合、ロープ１０２を損傷する上にロープ１０２の走行による物干し竿の昇降を操作できなくなる欠点がある。
また、ケース１０１の下面の開孔１０１ａにそのままロープ１０２を通すとロープ１０を損傷し易くなるおそれがあり、ロープ保護のために専用の保護部材を追加する必要があった。
【０００７】
本発明は、このような課題に鑑みてなされたものであって、ひもがガイドプーリーから外れることがなく、ひもの損傷を抑制できるようにしたガイド機構と巻き取り装置を提供することを目的とする。
【課題を解決するための手段】
【０００８】
本発明によるガイド機構は、ひもを走行可能に保持する複数のフィンを形成していて前記ひもの走行方向をガイドするガイドプーリーと、前記ガイドプーリーのフィンに対向して前記ひもが外れない程度の間隔で配置した外れ止め部材と、を備え、前記複数のフィンの間に、複数の前記ひもが走行可能に構成されており、一の前記外れ止め部材により前記複数のひもが外れないように構成されており、前記外れ止め部材は、前記ガイドプーリーのフィンに対向するガイド部と、前記ガイド部を支持していて前記ひもやガイドプーリーを収納する本体ケースに固定する本体部とを備え、前記外れ止め部材の本体部は前記ひもを通すガイド孔を有しており、前記本体部にはガイド孔の延長上に筒状突部を突出させ、前記本体ケースに形成した開孔内に前記筒状突部を嵌挿させて該筒状突部を通してひもを外部に誘導するようにしたことを特徴とする。
本発明によるガイド機構は、ひもの走行をガイドプーリーのフィンによってガイドすると共に、ガイドプーリーのフィンにひもが外れない程度の間隔を開けて外れ止め部材を配置することで、ひもに持ち上げ方向等の負荷等がかかったとしても、ひもがフィンから外れることをガイド部材によって阻止することができる。しかも外れ止め部材はフィンと所定の間隔を開けているため、ガイドプーリーに沿ったひもの走行に影響を与えない。
【０００９】
また、ガイドプーリーのフィンと外れ止め部材のガイド部はひもが外れない程度の間隔を有しているため、ひもの走行に影響を与えない上に、ガイドプーリーから外れる方向の負荷等がかかったとしても、ひもがガイドプーリーから外れることをガイド部によって防止できる。
さらに、本発明によれば、フィンを備えたガイドプーリーによってひもの走行方向をガイドすると共に外れ止め部材によってフィンからひもが外れないように走行させ、外れ部材の本体部に形成したガイド孔と本体ケースの開孔に嵌挿させた筒状突部とを通してひもをケースの外部に導くことができるため、ひもが本体ケースの小口である開孔に当接して損傷することを防止できる。
【００１０】
また、ガイドプーリーのフィンはリング状に形成され、ガイド部はフィンの外周面に沿って断面円弧状に形成されていてもよい。
外れ止め部材のガイド部はフィンの外周面に沿って断面円弧状に形成されているために、ガイド部の長さ範囲に亘ってひもがフィンから外れないように保持できる。
【００１１】
また、外れ止め部材を構成するガイド部および本体部が一体形成されていてもよい。
【００１２】
本発明による巻き取り装置は、ひもを進退させることで昇降部材を昇降させる巻き取り装置であって、昇降部材にひもを介して連結されていて回転することでひもの巻き取りまたは繰り出しを行って昇降部材を昇降させる巻き取りドラムと、ひもの走行をガイドする上述したいずれかのガイド機構とを備えたことを特徴とする。
本発明によれば、巻き取りドラムを回転させることでひもの巻き取りまたは繰り出しを行い、これに応じてひもがガイドプーリーのフィン間に保持されて走行すると、ひもはガイドプーリーと外れ止め部材にガイドされて外れることなく、外部から巻き上げられたり外部に繰り出されたりして、昇降部材を昇降させることができる。そして、作業者等が外部のひもを持ち上げたり昇降部材にぶつかったりしたとしても、外れ止め部材によってフィンからひもが外れることを阻止できる。
また、昇降部材を昇降させる際に、ひもが外れ止め部材のガイド孔と本体ケースの開孔に嵌挿する筒状突部とを通って走行する場合には、本体ケースの開孔によってひもを損傷することを防止できる。
【発明の効果】
【００１３】
本発明によるガイド機構とガイド機構を備えた巻き取り装置によれば、ひもにガイドプーリーのフィンから外れる方向に負荷がかかったとしても、外れ止め部材によってひもがフィンから外れることを阻止して、ガイドプーリーで走行させることができる。
【図面の簡単な説明】
【００１４】
【図１】本発明の実施形態による物干し竿の巻き取り装置の要部正面図である。
【図２】実施形態による物干し竿の巻き取り装置の内部構造を示す要部縦断面図である。
【図３】実施形態による物干し竿の巻き取り装置の内部構造を示す要部水平断面図である。
【図４】図２に示す筐体内の巻き取りドラムと調整プーリーの拡大正面図である。
【図５】図３に示す筐体内の巻き取りドラムと調整プーリーの拡大平面図である。
【図６】（ａ）は第一ガイドプーリーと外れ止め部材の配置構成を示す図、（ｂ）は外れ止め部材の斜視図である。
【図７】図２における本体ケース内の第一ガイドプーリーと外れ止め部材を示すＡ−Ａ線断面図である。
【図８】主ひもを物干し竿にガイドする第一ガイドプーリーを示すものであり、（ａ）は本体ケースに取り付けた状態の平面図、（ｂ）はガイドプーリーの一端部の斜視図、（ｃ）は本体ケースの穴にガイドプーリーを取り付けた外面図である。
【図９】調整プーリーを経由した巻き取りドラムでのひもの巻き取り状態を示す説明図である。
【図１０】実施形態による物干し竿の巻き取り装置の変形例による巻き取りドラムと調整プーリーを示す平面図である。
【図１１】従来の巻き取り装置における本体ケース内に配設したガイドプーリーとひもを示す図である。
【発明を実施するための形態】
【００１５】
以下、本発明による巻き取り装置の実施形態としての物干し竿の巻き取り装置１について図１から図９に基づいて説明する。
図１は本発明の実施形態による物干し竿の巻き取り装置１を示すものであり、例えば図示しない物干しルームやサンルーム等の上部や天井に設置された本体ケース２の下面から２本のひも３が進退可能に吊り下げられており、その下端部には物干し竿４が連結されている。２本のひも３は主ひも３Ａと補助ひも３Ｂとで構成され、主ひも３Ａは物干し竿４の一端に固定され、補助ひも３Ｂは物干し竿４の他端に固定されている。なお、本実施形態において、主ひも３Ａと補助ひも３Ｂは同一外径で同一材質ものであるが、異なっていてもよい。
【００１６】
そして、図２及び図３に示すように、本体ケース２の端部には主ひも３Ａの巻き取りドラム９や複数のギア等を収納した拡幅した筐体５が設置され、筐体５の下面にはハンドル６が操作杆６ａを介して吊り下げられている。このハンドル６を回すことでひも３及び物干し竿４の上昇と降下を操作することができる。
本実施形態による物干し竿４の巻き取り装置１では、例えば不使用時には物干し竿４は上昇させて本体ケース２の下面に当接させておく。また、使用時には物干し竿４を降下させて洗濯物を取り付け、その後適宜高さまで上昇させて高い位置に洗濯物を掛けた物干し竿４を保持するようにしている。
【００１７】
次に、図２〜図５に基づいて物干し竿４の巻き取り装置１の作動機構について説明する。
図２及び図３において、巻き取り装置１の筐体５内にはハンドル６の操作杆６ａの上端部を収納したギアボックス８が内蔵されている。ギアボックス８内には巻き取りドラム９と第一及び第二調整プーリー１０Ａ，１０Ｂが対向して配設され、巻き取りドラム９の回転中心に嵌合されたギアシャフト１１の外周面に設けられた図示しない回転ギアと操作杆６ａの上端部に固定された図示しない手動ギアとが直接または他のギアを介して噛合している。
そのため、ハンドル６を正逆回転させることで、相互に噛合する手動ギアと回転ギアを介してギアシャフト１１と巻き取りドラム９を一体に正逆回転させることができる。
【００１８】
図４及び図５に示す筐体５内の拡大図において、巻き取りドラム９は中心軸をなすギアシャフト１１の長手方向に所定間隔を開けて設けたフランジ部１３，１４の間に筒状でテーパーが形成された外周面１５が設けられている。外周面１５は滑らかで傾斜角の比較的小さいテーパー面を有している。図５において、外周面１５は操作杆６ａから離れた方向の端部が最も小径(小径側端部という)であってその外側にフランジ部１３が固定され、操作杆６ａに近接する方向の端部が最も大径(大径側端部という)であってその外側にフランジ部１４が固定されている。
フランジ部１３の外側にはカラーを介して第一ベースプレート１６が設置され、フランジ部１４の外側にはカラーを介して第二ベースプレート１７が設置されている。
【００１９】
また、巻き取りドラム９は、外周面１５のフランジ部１３側の小径側端部に鉤穴型の穴部１８が形成され、その内部には主ひも３Ａの一端部３ｃが球状の拡径部を形成して配設され、穴部１８のスリット部１８ａに主ひも３Ａの一端部３ｃが位置すると係合して外れないようになっている。巻き取りドラム９の外周面１５に近接する位置に配列された第一及び第二調整プーリー１０Ａ、１０Ｂはスリット部１８ａから繰り出された主ひも３Ａを挟んで上下に配列されている。なお、第一及び第二調整プーリー１０Ａ，１０Ｂは巻き取りドラム９のギアシャフト１１とほぼ平行な回転軸を有している。
これらの第一及び第二調整プーリー１０Ａ、１０Ｂの外周面は巻き取りドラム９の小径側端部側が大径とされ、他端に向けて途中までは急傾斜のテーパー状に縮径されたテーパー部１０ｃが形成され、その後は同一径をなす円筒部１０ｄとされている。第一及び第二調整プーリー１０Ａ、１０Ｂにおける部分的なテーパー部１０ｃは巻き取りドラム９の小径側端部近傍の領域に対向して配設されている。このテーパー部１０ｃの長さは巻き取りドラム９における小径側端部から例えば主ひも３Ａの複数巻き分、例えば２巻きまたは３巻き分程度の長さに設定されているが、それ以上の長さでもよい。
【００２０】
巻き取りドラム９の穴部１８に一端部３ｃを固定された主ひも３Ａは外周面１５に巻き付けられて第一及び第二調整プーリー１０Ａ、１０Ｂ間を通って本体ケース２内を他端側に向けて延びている。
図２及び図３において、本体ケース２内には巻き取りドラム９に近接した位置に第一ガイドプーリー２０Ａが設置され、巻き取りドラム９から離間した他端部近傍に第二ガイドプーリー２０Ｂが設置されている。第一及び第二調整プーリー１０Ａ，１０Ｂは巻き取りドラム９の長手方向に交差する方向に延びる主ひも３Ａを挟むように上下に配設されている。
そして、巻き取りドラム９から長く繰り出された主ひも３Ａは第二ガイドプーリー２０Ｂを略Ｕ字状に巻回して戻り、更に第一ガイドプーリー２０Ａを略９０度巻回して本体ケース２の下面に形成した開孔２ａを通って下方に延びて物干し竿４に連結される。第一及び第二ガイドプーリー２０Ａ，２０Ｂには図８（ａ）に示すようにひも３がずれないようにリング状をなす複数(図では３枚)のフィン２０ｃが形成され、更にフィン２０ｃからひも３が外れないように外れ止め部材２１が設置されている。
【００２１】
図６（ａ）、（ｂ）、図７に示す外れ止め部材２１は、第一ガイドプーリー２０Ａのフィン２０ｃ間を巻回するひも３が外れないようにガイドする例えば断面略円弧状のガイド壁２１ａとその下部の本体部２１ｂとを一体形成している。ガイド壁２１ａと第一ガイドプーリー２０Ａの複数のフィン２０ｃとの間隔は、主ひも３Ａが外れないように主ひも３Ａの外径より小さいことが好ましい。本体部２１ｂは本体ケース２の両側面にねじ固定されており、第一ガイドプーリー２０Ａを巻回する主ひも３Ａを本体ケース２の外部に誘導する上面から下面を貫通するガイド孔２１ｃを備えている。
ガイド孔２１ｃはその下端部から突出する筒状突部２１ｄが本体ケース２の凹部形状をなす下面２ｂに形成した開孔２ａに嵌挿されることで、主ひも３Ａが本体ケース２の小口である開孔２ａのエッジでこすれて損傷しないようにした。なお、図７に示す例では筒状突部２１ｄは開孔２ａから突出しているが、突出していなくてもよく、例えば面一でもよいし、若干引っ込んでいてもよい。
なお、第二ガイドプーリー２０Ｂに設置した外れ止め部材２１も同一形状であり、第一ガイドプーリー２０Ａの外れ止め部材２１と対称に配設されている。また、各外れ止め部材２１は第一及び第二ガイドプーリー２０Ａ、２０Ｂにおける主ひも３Ａ，補助ひも３Ｂのガイド機構を構成する。
【００２２】
また、図３において、第二ガイドプーリー２０Ｂの近傍には主ひも３Ａと略平行に補助ひも３Ｂが配設され、補助ひも３Ｂの一端部は主ひも３Ａとひも連結部材２２によって連結されている。補助ひも３Ｂは第二ガイドプーリー２０Ｂで巻回されて外れ止め部材２１に形成されたガイド孔２１ｃと本体ケース２の下面の開孔２ａに嵌挿された筒状突部２１ｄを通って下方に延びて物干し竿４に連結される。同様に主ひも３Ａも第一ガイドプーリー２０Ａから外れ止め部材２１のガイド孔２１ｃと本体ケース２の下面の開孔２ａに嵌挿された筒状突部２１ｄを通って下方に延びている。
なお、各筒状突部２１ｄは本体ケース２の下面２ｂに形成した開孔２ａの反対側に突出している。そして、主ひも３Ａと補助ひも３Ｂの他端部は物干し竿４の内部で係止部材２５によってそれぞれ固定されている(図２参照)。
【００２３】
なお、図８（ａ）、（ｂ）、（ｃ）において、第一ガイドプーリー２０Ａと第二ガイドプーリー２０Ｂはその中空部に円筒状のシャフト２４が嵌挿されており、シャフト２４の一方または両方の端部２４ａは外側に突出して外周面の一部が平面状に切除されて断面Ｄ字形状に形成されている。
そして、シャフト２４のＤ字状の端部が嵌合される本体ケース２の外壁に設けた穴２７もＤ字状に形成されている。この穴２７にシャフト２４のＤ字状端部が嵌合することで第一または第二ガイドプーリー２０Ａ、２０Ｂが主ひも３Ａや補助ひも３Ｂの摺動で回転したとしてもシャフト２４は回転しないように固定保持される。これによって、第一または第二ガイドプーリー２０Ａ、２０Ｂが回転する際、シャフト２４を固定するビスが緩んで第一または第二ガイドプーリー２０Ａ、２０Ｂが本体ケース２から外れることを防止できる。
【００２４】
本実施形態による物干し竿４の巻き取り装置１は上述の構成を備えており、次にその作用を説明する。
まず、不使用状態で物干し竿４が本体ケース２の凹部形状をなす下面２ｂに当接した状態に保持される。そして、ハンドル６を回転させることでギアボックス８に内蔵されたギア群を介してギアシャフト１１と巻き取りドラム９を回転させる。これによって、巻き取りドラム９に巻き取られた主ひも３Ａが繰り出されて第一及び第二調整プーリー１０Ａ，１０Ｂの間を通して走行する。
繰り出された主ひも３Ａは本体ケース２内の他端側の第二ガイドプーリー２０Ｂを介して戻されて、更に第一ガイドプーリー２０Ａを介して外れ止め部材２１のガイド孔２１ｃ及び下面２ｂの開孔２ａに嵌合した筒状突部２１ｄを通して本体ケース２の下方に降下する。
【００２５】
これと同時に第二ガイドプーリー２０Ｂ近傍に位置する補助ひも３Ｂは、ひも連結部材２２によって主ひも３Ａと一体に移動し、第二ガイドプーリー２０Ｂを介して外れ止め部材２１のガイド孔２１ｃ及び開孔２ａに嵌合した筒状突部２１ｄを通して本体ケース２の下方に降下する。そのため、主ひも３Ａと補助ひも３Ｂが同時に降下して、物干し竿４は水平状態を維持しながら降下する。
しかも第一ガイドプーリー２０Ａに設けた外れ止め部材２１のガイド壁２１ａによって主ひも３Ａがフィン２０ｃから外れることを防止できる。また、第二ガイドプーリー２０Ｂに設けた外れ止め部材２１のガイド壁２１ａによっても、補助ひも３Ｂと主ひも３Ａがフィン２０ｃから外れることを防止できる。
【００２６】
そして、物干し竿４の主ひも３Ａと補助ひも３Ｂに設定した下端位置の高さまで降下させて洗濯物を取り付ける。この位置で、主ひも３Ａは図４及び図５に示すように巻き取りドラム９から全て繰り出された状態になる。その後、ハンドル６を逆方向に回転させることで物干し竿４を適宜高さまで上昇させる。その際、ハンドル６の回転で巻き取りドラム９を逆方向（図４で時計回り方向）に回転させると、主ひも３Ａは図４及び図５に示す小径側端部の位置から巻き取りを開始する。
即ち、主ひも３Ａの一端部が穴部１８のスリット部１８ａで係止された位置から巻き取りドラム９を回転させて主ひも３Ａを巻き取り始めると、第一及び第二調整プーリー１０Ａ，１０Ｂの各テーパー部１０ｃでガイドされて巻き取りドラム９の小径側端部のフランジ部１３の位置で１巻きされ、更に２巻き目に移行する。
【００２７】
すると、巻き取りドラム９の小径側端部近傍に対向する位置で、主ひも３Ａは上下の調整プーリー１０Ａ、１０Ｂで挟まれた状態で上側の第一調整プーリー１０Ａのテーパー部１０ｃに当接して巻き取りドラム９に戻されるため、主ひも３Ａはテーパー部１０ｃに当接して巻き取りドラム９の外周面１５の拡径側にスライド移動する。
そのため、巻き取りドラム９の外周面１５で主ひも３Ａは１巻き目に重なることなく２巻き目に移行して巻き取られる。しかも、巻き取りドラム９の外周面１５はテーパー面を形成するから２巻き目の主ひも３Ａは１巻き目の主ひも３Ａに押し付けられて緊密に並ぶ。その後、主ひも３Ａは第一調整プーリー１０Ａの円筒部１０ｄに当接して巻き取りドラム９に３巻き目以降が巻き付けられる。
【００２８】
こうして、図９に示すように、主ひも３Ａは第一及び第二調整プーリー１０Ａ，１０Ｂにガイドされつつ巻き取りドラム９のテーパー状の外周面１５に小径側端部から大径側に向けて移行しながら整列状態に巻き取られる。巻き取りの初期段階で外周面１５に小径側端部から大径側に向けて移行しつつ整列巻きされると、第一及び第二調整プーリー１０Ａ，１０Ｂの各テーパー部１０ｃを経過した後の円筒部１０ｄに移行した状態でも順次外周面１５の大径側に向けて整列巻きが行われる。そして、物干し竿４は主ひも３Ａと補助ひも３Ｂを同時に巻き上げて上昇させられる。
【００２９】
なお、本実施形態において、図４に示すように、物干し竿４を降下させるには巻き取りドラム９を反時計回りに回転させることで主ひも３Ａを繰り出すことができ、物干し竿４を上昇させるには巻き取りドラム９を時計回りに回転させることで主ひも３Ａを巻き取ることができる。そして、主ひも３Ａの巻き取り始めの１巻き目と２巻き目には主ひも３Ａは上側の第一調整プーリー１０Ａのテーパー部１０ｃによってガイドされて重ならないように整列して巻き取られる。
他方、巻き取りドラム９の反時計回りの回転で主ひも３Ａを繰り出し終えた後、更に巻き取りドラム９を反時計回りに回転させることで今度は主ひも３Ａを巻き取り始めることができる。この場合には、下側の第二調整プーリー１０Ｂのテーパー部１０ｃによって主ひも３Ａがガイドされて重ならないように整列して巻き取ることができる。
【００３０】
上述のように本実施形態による物干し竿４の巻き取り装置１によれば、作業者が吊り下げた物干し竿４にぶつかったり主ひも３Ａや補助ひも３Ｂを持ち上げたりして第一及び第二ガイドプーリー２０Ａ、２０Ｂのフィン２０ｃから外れる方向に負荷がかかったとしても、外れ止め部材２１のガイド壁２１ａによって主ひも３Ａや補助ひも３Ｂが外れることを防止できて安全である。また、通常の走行状態においても、第一及び第二ガイドプーリー２０Ａ、２０Ｂのフィン２０ｃから主ひも３Ａや補助ひも３Ｂが外れることを外れ止め部材２１のガイド壁２１ａによって防止できる。
しかも、主ひも３Ａと補助ひも３Ｂを第一及び第二ガイドプーリー２０Ａ、２０Ｂに沿ってそれぞれ湾曲させて走行させる際、外れ止め部材２１のガイド壁２１ａでガイドして本体部２１ｂのガイド孔２１ｃと筒状突部２１ｄを通って上下方向に走行でき、その際、ケース本体２の下面２ｂの小口である開孔２ａを筒状突部２１ｄが貫通しているため、主ひも３Ａと補助ひも３Ｂは開孔２ａに接触せず損傷することを防止できる。
そのため、外れ止め部材２１によって、主ひも３Ａと補助ひも３Ｂの外れ防止と保護を行える。
【００３１】
また、本実施形態による物干し竿４の巻き取り装置１では、ハンドル６を回転操作することで物干し竿４の上昇と降下を行える。しかも、主ひも３Ａを巻き取りドラム９の外周面１５に小径側端部で巻き取り始める時に、第一または第二調整プーリー１０Ａ，１０Ｂのテーパー部１０ｃによって大径側から小径側に主ひも３Ａを移動させてガイドするため、巻き取りドラム９の外周面１５では小径側端部から大径側に向かって重なることなく整列巻き取りを行える。そのため、巻き取りドラム９の外周面１５を急傾斜のテーパー面にしなくても確実に小径側から大径側まで順次巻き付けられて整列巻を行える。
また、第一及び第二ガイドプーリー２０Ａ、２０Ｂはシャフト２４の端部２４ａがＤ字状に形成され、本体ケース２の外壁のＤ字の穴２７に嵌合させたため、主ひも３Ａ，補助ひも３Ｂが摺動して第一及び第二ガイドプーリー２０Ａ、２０Ｂが摩擦で回転してもシャフト２４の回転を阻止できる。
【００３２】
なお、本発明による巻き取り装置は、上述した実施形態による物干し竿４の巻き取り装置１に限定されるものではなく、本発明の要旨を逸脱しない範囲で適宜の変更や置換等が可能である。以下に、本発明の変形例について上述した実施形態と同一または同様な部品や部分には同一の符号を用いて説明する。
【００３３】
上述した実施形態では物干し竿４の巻き取り装置１について説明したが、本発明はこのような巻き取り装置１に限定されるものではない。例えば、巻き取りドラム９を正逆回転させて主ひも３Ａの繰り出しと巻き取りを行うのであれば、図４において、巻き取りドラム９の外周面１５に対向して配設した第一または第二調整プーリー１０Ａ，１０Ｂに対して巻き始めの段階で穴部１８が上側に位置するか下側に位置するかによって、主ひも３Ａが当接してガイドされるテーパー部１０ｃを有するいずれか一方の調整プーリー１０Ａ，１０Ｂだけが設置されていればよい。
この場合、巻き取りドラム９への主ひも３Ａの巻き取り始めの少なくとも１巻き目と２巻き目等が重ならないように第一または第二調整プーリー１０Ａ，１０Ｂのテーパー部１０ｃによって巻き取りをガイドできればよい。
【００３４】
また、上述した実施形態において、第一及び第二調整プーリー１０Ａ，１０Ｂは巻き取りドラム９の小径側端部に対向する位置に傾斜の大きなテーパー部１０ｃを形成し、その他の長手方向の領域を円筒部１０ｄに形成したが、これに代えて図１０に示すように、全長に亘って一様なテーパー部１０ｅとなるように形成してもよい。この場合には巻き取りドラム９の外周面１５の全長に亘って小径側端部から大径側端部まで主ひも３Ａが重ならないようにガイドして、第一及び第二調整プーリー１０Ａ，１０Ｂのテーパー部１０ｅで整列巻きをより確実に行うことができる。
なお、本発明において、第一及び第二ガイドプーリー２０Ａ，２０Ｂはガイドプーリーを構成する。
【００３５】
また、外れ止め部材２１において、第一ガイドプーリー２０Ａのフィン２０ｃ間からひも３が外れないようにガイド部として断面略円弧状のガイド壁２１ａを設けたが、ガイド部は断面円弧状のガイド壁２１ａに限定されることなく、フィン２０ｃに沿った断面Ｖ字状や多角形状、或いは平板状等、適宜の形状のものを採用できる。
また、上述した実施形態による物干し竿４の巻き取り装置１は、ハンドル６の回転操作によって手動で巻き取りドラム９を回転させて一対のひも３と物干し竿４を昇降させるものであるが、モータを用いて電動で巻き取りドラム９を回転させるようにしてもよい。
なお、本発明は物干し竿４の巻き取り装置１に限定されるものではなく、巻き取りドラム９へ主ひも３Ａを重ねることなく一重で一列に整列巻き取りができれば、他のひもの巻き取り装置にも適用できる。例えばブラインドの巻き取り装置にも適用できる。なお、物干し竿４やブラインド等は昇降部材を構成する。  
【符号の説明】
【００３６】
１  巻き取り装置
２  本体ケース
３  ひも
３Ａ  主ひも
３Ｂ  補助ひも
４  物干し竿
６  ハンドル
９  巻き取りドラム
１０Ａ  第一調整プーリー
１０Ｂ  第二調整プーリー
１０ｃ、１０ｅ  テーパー部
１５  外周面
２０Ａ  第一ガイドプーリー
２０Ｂ  第二ガイドプーリー
２１  外れ止め部材
２１ａ  ガイド壁
２１ｂ  本体部
２１ｃ  ガイド孔
２１ｄ  筒状突部
【図１】
0006605850.tif 000002
【図２】
0006605850.tif 000003
【図３】
0006605850.tif 000004
【図４】
0006605850.tif 000005
【図５】
0006605850.tif 000006
【図６】
0006605850.tif 000007
【図７】
0006605850.tif 000008
【図８】
0006605850.tif 000009
【図９】
0006605850.tif 000010
【図１０】
0006605850.tif 000011
【図１１】
0006605850.tif 000012